(57)【要約】【課題】本発明は電気コネクタの低背化も図り、斜め嵌合も防止できる電気コネクタの提供。【解決手段】プラグ２０はコンタクト２４とブロック２２を備え、コンタクト２４は幅方向両側に対向するように配置され、ブロック２２の長手方向両側にはコンタクト２４の上面３８より高い突出壁３２が形成され、コンタクト２４間にはレセプタクル５０と係止する係止凹部３４が設けられ、レセプタクル５０はコンタクト５４とハウジング５２を備え、コンタクト５４は幅方向両側に対向するように配置され、ハウジング５２には係止凹部３４と係合する係合凸部６４が設けられ、長手方向両側には凸部壁６８と突出壁３２が入る係合溝６６が設けられ、長手方向のコンタクト５４間には弾性部上面７０より高い側壁Ａ６９と側壁Ａ６９に連設すると共に接触部上面７３より高い側壁Ｂ７１とが設けられ、凸部壁６８の高さはコンタクト５４の弾性部上面７０より高くする。
2009517802.tif 000002
【特許請求の範囲】
【請求項１】
プラグコネクタとレセプタクルコネクタとが着脱自在に嵌合する電気コネクタにおいて、
前記プラグコネクタはレセプタクルコンタクトと接触する接触部とブロックに保持される固定部と基板に接続される接続部とを有する複数のプラグコンタクトと該プラグコンタクトが保持・配列されるブロックとを備え、前記プラグコンタクトは幅方向両側に対向するように配置され、前記ブロックの長手方向両側には前記プラグコンタクトの上面より高い突出壁が形成されるとともに対向する前記プラグコンタクト間には前記レセプタクルコネクタと係合する係止凹部が設けられ、
前記レセプタクルコネクタは前記プラグコンタクトと接触する接触部と弾性部とハウジングに保持される固定部と基板に接続される接続部とを有する複数のレセプタクルコンタクトと該レセプタクルコンタクトが保持・配列されるハウジングとを備え、前記レセプタクルコンタクトは幅方向両側に対向するように配置され、前記ハウジングには前記係止凹部と係合する係合凸部が設けられ、長手方向両側には凸部壁が形成されるとともに前記突出壁が入る係合溝が長手方向両側に設けられ、長手方向の前記レセプタクルコンタクト間には該レセプタクルコンタクトコンタクトの弾性部上面より高い側壁Ａと該側壁Ａに連設すると共に前記レセプタクルコンタクトの接触部上面より高い側壁Ｂとが設けられ、前記凸部壁の高さは前記レセプタクルコンタクトの弾性部上面より高くし、
前記プラグコネクタと前記レセプタクルコネクタとが嵌合する際に、完全に嵌合するまでは前記プラグコンタクトと前記レセプタクルコンタクトとが接触しないようにすることを特徴とする電気コネクタ。
【請求項２】
前記プラグコネクタと前記レセプタクルコネクタとが斜め挿入された場合は前記プラグコネクタの前記突出壁と前記レセプタクルコネクタの前記凸部壁及び側壁Ａ若しくは前記係合凸部及び前記側壁Ｂとが接することで、誤嵌合防止や前記ブロックが前記レセプタクルコンタクトに接することがないようにし又前記ハウジングが前記プラグコンタクトに接することがないようにし前記プラグコンタクト及び前記レセプタクルコンタクトを変形させないことを特徴とする請求項１記載の電気コネクタ。
【請求項３】
前記突出壁の高さを前記プラグコンタクトの上面より０．１〜０．３ｍｍ高くし、該凸部壁と側壁Ａの高さを前記レセプタクルコンタクトの弾性部上面より０．０２〜０．１ｍｍ高くし、前記側壁Ｂの高さを前記レセプタクルコンタクトの接触部上面より０．０２〜０．１ｍｍ高くし、前記係合凸部の高さと前記レセプタクルコンタクトの接触部上面の高さとの関係は−０．２〜０．３ｍｍにすることを特徴とする請求項１または２記載の電気コネクタ。
【請求項４】
前記プラグコネクタの前記ブロックには長手方向両側で幅方向両側に係合部を設け、前記レセプタクルコネクタの前記ハウジングには前記係合溝内の幅方向両側に前記係合部と係合する凹部を設け、嵌合した際に前記係合部が前記凹部に入ることでクリック感を持たせることを特徴とする請求項１から３項のうちいずれか１項記載の電気コネクタ。
【発明の詳細な説明】
【技術分野】
【０００１】
本発明は、携帯電話等の電気・電子機器に使用されるプラグコネクタとレセプタクルコネクタとを備える電気コネクタに関するもので、特にプラグコネクタとレセプタクルコネクタとが互いに嵌合する際に斜め嵌合されてもそれぞれのコンタクトが破損することのなく、低背可能な構造に関するものである。
【背景技術】
【０００２】
一般的に基板と基板とを接続する場合には、２つのコネクタ（例えばプラグコネクタとレセプタクルコネクタ）が使用されている。２つの前記コネクタは、主に複数のコンタクト（例えば、プラグコンタクトとレセプタクルコンタクト）と該コンタクトを保持・配列する電気絶縁性の材料よりなる絶縁体（例えば、ブロックとハウジング）とを備えている。２つの前記コネクタは基板に半田付け等により接続している。前記コネクタのうち一方のコネクタのコンタクトは絶縁体から露出しており、嵌合の仕方によってはコンタクトが変形することがある。
本出願人は、斜め嵌合時のコンタクト変形防止構造のコネクタとして、特許文献１を以前に提案している。特許文献１の要約によると、従来の角形多極コネクタは、プラグのブロックがソケットの囲いの中に嵌まり込むようになっており、そのため、誤ってプラグを斜めに挿入して、コンタクトを変形させることがあり、この課題を解決することを目的とし、ソケットのブロック５０をほぼ四角ブロック状にし、その両端に張り５２，５３を設け、５３の厚みｄ＞５２の厚みｃとし、またプラグの囲いを２枚の板状のもの２０，２１で構成し、片方の２０は、ブロック５０の張り５２の間に納まる長さ、他方の２１は張り５３の間に納まる長さとし、囲い２０，２１の間隔ｂは、ブロック５０の張り５２，５３を除いた部分がほぼピッタリと嵌まり込める程度にした結果、ブロック５０の幅ａ＞囲い２０〜２１の間隔ｂなので、ブロック５０を斜めに挿入できなく、囲い２０，２１の長さが違うので誤接続の心配がないといったコネクタが開示されている。
ちなみに、特許文献１の実用新案登録請求の範囲には、複数本のコンタクトを保持・固定したベースに前記コンタクトの保護用の囲いを設けたプラグ側コネクタと、複数本のコンタクトを保持・固定したベースに前記コンタクトを収容する孔を設けたブロックを設けたソケット側コネクタとからなる一組のコネクタであって、前記ソケット側コネクタのブロックの長手方向端部の左右には、左右厚味の異なる張りが設けられており、前記プラグ側コネクタの囲いが、前記ソケット側ブロックの両端に設けられたけ張りの厚み寸法に合わせた長さである、コネクタが開示されている。
【０００３】
【特許文献１】実開平５−６９８７３号公報
【発明の開示】
【発明が解決しようとする課題】
【０００４】
近年、電気コネクタの小型化が進む中、基板間を接続する場合に基板間寸法の縮小化の要求も強くなってきている。すなわち、プラグコネクタとレセプタクルコネクタを嵌合した場合の電気コネクタの低背要求が強くなってきている。電気コネクタの小型化が進むにつれプラグコネクタとレセプタクルコネクタとの嵌合もし難くなり、しいてはコネクタ同士を斜めに嵌合してしまうことも多くなった。斜め嵌合をするとコンタクトの変形に繋がり、しいては接続不良に繋がってしまうことから、斜め嵌合防止構造として特許文献１のような構造のものが提案されている。
また、コネクタの小型化や低背化が進むと、コンタクトも極小化するため、前記コンタクトに少し触れただけでも変形し易くなってきている。
さらに、低背化の要求については、ただ単に、両方のコネクタを低背化したのでは接触圧等の仕様を満足することができなく、かつ、接続不良に繋がってしまうという課題があった。
【０００５】
本発明は、このような従来の問題点に鑑みてなされたもので、嵌合時の電気コネクタの低背化も図りつつ斜め嵌合も防止できる電気コネクタを提供せんとするものである。
【課題を解決するための手段】
【０００６】
上記目的は、プラグコネクタ２０とレセプタクルコネクタ５０とが着脱自在に嵌合する電気コネクタ１０において、前記プラグコネクタ２０はレセプタクルコンタクトと接触する接触部２６とブロック２２に保持される固定部２８と基板に接続される接続部３０とを有する複数のプラグコンタクト２４と該プラグコンタクト２４が保持・配列されるブロック２２とを備え、前記プラグコンタクト２４は幅方向両側に対向するように配置され、前記ブロック２２の長手方向両側には前記プラグコンタクト２４の上面３８より高い突出壁３２が形成されるとともに対向する前記プラグコンタクト２４間には前記レセプタクルコネクタ５０と係止する係止凹部３４が設けられ、前記レセプタクルコネクタ５０は前記プラグコンタクト２４と接触する接触部５６と弾性部６２とハウジング５２に保持される固定部５８と基板に接続される接続部６０とを有する複数のレセプタクルコンタクト５４と該レセプタクルコンタクト５４が保持・配列されるハウジング５２とを備え、前記レセプタクルコンタクト５４は幅方向両側に対向するように配置され、前記ハウジング５２には前記係止凹部３４と係合する係合凸部６４が設けられ、長手方向両側には凸部壁６８が形成されるとともに前記突出壁３２が入る係合溝６６が長手方向両側に設けられ、長手方向の前記レセプタクルコンタクト５４間には該レセプタクルコンタクト５４の弾性部上面７０より高い側壁Ａ６９と該側壁Ａ６９に連設すると共に前記レセプタクルコンタクト５４の接触部上面７３より高い側壁Ｂ７１とが設けられ、前記凸部壁６８の高さは前記レセプタクルコンタクト５４の弾性部上面７０より高くし、前記プラグコネクタ２０と前記レセプタクルコネクタ５０とが嵌合する際に、完全に嵌合するまでは前記プラグコンタクト２４と前記レセプタクルコンタクト５４とが接触しないようにすることにより達成できる。
【０００７】
前記プラグコネクタ２０と前記レセプタクルコネクタ５０とが斜め挿入された場合は前記プラグコネクタ２０の前記突出壁３２と前記レセプタクルコネクタ５０の前記凸部壁６８及び側壁Ａ６９若しくは前記係合凸部６４及び前記側壁Ｂ７１とが接することで、誤嵌合防止や前記ブロック２２が前記レセプタクルコンタクト５４に接することがないようにし又前記ハウジング５２が前記プラグコンタクト２４に接することがないようにし前記プラグコンタクト２４及び前記レセプタクルコンタクト５４を変形させないようにする。
また、前記突出壁３２の高さを前記プラグコンタクト２４の上面３８より０．１〜０．３ｍｍ高くし、該凸部壁６８と側壁Ａ６９の高さを前記レセプタクルコンタクト５４の弾性部上面７０より０．０２〜０．１ｍｍ高くし、前記側壁Ｂ７１の高さを前記レセプタクルコンタクト５４の接触部上面７３より０．０２〜０．１ｍｍ高くし、前記係合凸部６４の高さと前記レセプタクルコンタクト５４の接触部上面７３の高さとの関係は−０．２〜０．３ｍｍにする。前記プラグコンタクト２４の上面３８より前記突出壁３２の高さが０．１ｍｍ以下では斜め嵌合を防止することができなく、前記プラグコンタクト２４の上面３８より前記突出壁３２の高さが０．３ｍｍ以上では嵌合時の電気コネクタ１０の低背化に繋がらない。前記レセプタクルコンタクト５４の弾性部上面７０より該凸部壁６８と側壁Ａ６９の高さが０．０２ｍｍ以下では斜め嵌合を防止やコンタクトの変形防止をすることができなく、前記レセプタクルコンタクト５４の弾性部上面７０より該凸部壁６８と側壁Ａ６９の高さが０．１ｍｍ以上では嵌合時の電気コネクタ１０の低背化に繋がらない。前記レセプタクルコンタクト５４の接触部上面７３より側壁Ｂ７１の高さが０．０２ｍｍ以下では斜め嵌合を防止やコンタクトの変形防止をすることができなく、前記レセプタクルコンタクト５４の接触部上面７３より側壁Ｂ７１の高さが０．１ｍｍ以上では嵌合時の電気コネクタ１０の低背化に繋がらない。前記レセプタクルコンタクト５４の接触部上面７３より係合凸部６４の高さが−０．１ｍｍ以下では斜め嵌合を防止やコンタクトの変形防止をすることができなく、前記レセプタクルコンタクト５４の接触部上面７３より係合凸部６４の高さが０．３ｍｍ以上では嵌合時の電気コネクタ１０の低背化に繋がらない。
さらに、前記プラグコネクタ２０の前記ブロック２２には長手方向両側で幅方向両側に係合部４２を設け、前記レセプタクルコネクタ５０の前記ハウジング５２には前記係合溝６６内の幅方向両側に前記係合部４２と係合する凹部を設け、嵌合した際に前記係合部４２が前記凹部に入ることでクリック感を持たせる。
【発明の効果】
【０００８】
以上の説明から明らかなように、本発明の電気コネクタ１０によると、次のような優れた効果が得られる。
（１）プラグコネクタ２０とレセプタクルコネクタ５０とが着脱自在に嵌合する電気コネクタ１０において、前記プラグコネクタ２０はレセプタクルコンタクトと接触する接触部２６とブロック２２に保持される固定部２８と基板に接続される接続部３０とを有する複数のプラグコンタクト２４と該プラグコンタクト２４が保持・配列されるブロック２２とを備え、前記プラグコンタクト２４は幅方向両側に対向するように配置され、前記ブロック２２の長手方向両側には前記プラグコンタクト２４の上面３８より高い突出壁３２が形成されるとともに対向する前記プラグコンタクト２４間には前記レセプタクルコネクタ５０と係止する係止凹部３４が設けられ、前記レセプタクルコネクタ５０は前記プラグコンタクト２４と接触する接触部５６と弾性部６２とハウジング５２に保持される固定部５８と基板に接続される接続部６０とを有する複数のレセプタクルコンタクト５４と該レセプタクルコンタクト５４が保持・配列されるハウジング５２とを備え、前記レセプタクルコンタクト５４は幅方向両側に対向するように配置され、前記ハウジング５２には前記係止凹部３４と係合する係合凸部６４が設けられ、長手方向両側には凸部壁６８が形成されるとともに前記突出壁３２が入る係合溝６６が長手方向両側に設けられ、長手方向の前記レセプタクルコンタクト５４間には該レセプタクルコンタクト５４の弾性部上面７０より高い側壁Ａ６９と該側壁Ａ６９に連設すると共に前記レセプタクルコンタクト５４の接触部上面７３より高い側壁Ｂ７１とが設けられ、前記凸部壁６８の高さは前記レセプタクルコンタクト５４の弾性部上面７０より高くし、前記プラグコネクタ２０と前記レセプタクルコネクタ５０とが嵌合する際に、完全に嵌合するまでは前記プラグコンタクト２４と前記レセプタクルコンタクト５４とが接触しないようにしているので、嵌合時の電気コネクタ１０を１．０ｍｍ以下にすることができ、確実に斜め嵌合も防止することができ、両方のコネクト２４，５４の変形がなく、安定した接続を得ることができる。
（２）前記プラグコネクタ２０と前記レセプタクルコネクタ５０とが斜め挿入された場合は前記プラグコネクタ２０の前記突出壁３２と前記レセプタクルコネクタ５０の前記凸部壁６８及び側壁Ａ６９若しくは前記係合凸部６４及び前記側壁Ｂ７１とが接することで、誤嵌合防止や前記ブロック２２が前記レセプタクルコンタクト５４に接することがないようにし又前記ハウジング５２が前記プラグコンタクト２４に接することがないようにし前記プラグコンタクト２４及び前記レセプタクルコンタクト５４を変形させないようにしているので、嵌合時の電気コネクタ１０を１．０ｍｍ以下にすることができ、確実に斜め嵌合も防止することができ、両方のコンタクト２４、５４の変形がなく、安定した接続を得ることができる。
（３）前記突出壁３２の高さを前記プラグコンタクト２４の上面３８より０．１〜０．３ｍｍ高くし、該凸部壁６８と側壁Ａ６９の高さを前記レセプタクルコンタクト５４の弾性部上面７０より０．０２〜０．１ｍｍ高くし、前記側壁Ｂ７１の高さを前記レセプタクルコンタクト５４の接触部上面７３より０．０２〜０．１ｍｍ高くし、前記係合凸部６４の高さと前記レセプタクルコンタクト５４の接触部上面７３の高さとの関係は−０．２〜０．３ｍｍにしているので、嵌合時の電気コネクタ１０を１．０ｍｍ以下にすることができ、確実に斜め嵌合も防止することができ、両方のコンタクト２４、５４の変形がなく、安定した接続を得ることができる。
（４）前記プラグコネクタ２０の前記ブロック２２には長手方向両側で幅方向両側に係合部４２を設け、前記レセプタクルコネクタ５０の前記ハウジング５２には前記係合溝６６内の幅方向両側に前記係合部４２と係合する凹部を設け、嵌合した際に前記係合部４２が前記凹部に入ることでクリック感を持たせているので、前記プラグコネクタ２０と前記レセプタクルコネクタ５０との嵌合完了を容易に確認することができる。
【発明を実施するための最良の形態】
【０００９】
図１から図５に基づいて、本発明の電気コネクタ１０の一実施例について説明する。図１（Ａ）は嵌合側からみた本発明のプラグコネクタの斜視図であり、（Ｂ）は嵌合側からみた本発明のレセプタクルコネクタの斜視図である。図２（Ａ）は基板接続側からみた本発明のプラグコネクタの斜視図であり、（Ｂ）は基板接続側からみた本発明のレセプタクルコネクタの斜視図である。図３はプラグコネクタとレセプタクルコネクタとが嵌合した状態のあるコンタクト部分で断面した断面図である。図４（Ａ）はプラグコンタクトの斜視図であり、（Ｂ）はレセプタクルコンタクトの斜視図である。図５（Ａ）はプラグコネクタのブロックの斜視図であり、（Ｂ）はレセプタクルコネクタのハウジングの斜視図である。
本発明の電気コネクタ１０はプラグコネクタ２０とレセプタクルコネクタ５０とを備え、プラグコネクタ２０はブロック２２とプラグコンタクト２４とを有し、レセプタクルコネクタ５０はハウジング５２とレセプタクルコンタクト５４とを有している。
【００１０】
従来技術で説明したように、プラグコネクタ２０とレセプタクルコネクタ５０とをそれぞれの基板に半田付けし、前記プラグコネクタ２０と前記レセプタクルコネクタ５０とを嵌合させることで、それぞれの基板が電気的に接続された状態になり、基板間同士の信号のやり取りを行なっている。
【００１１】
図に基づいて本発明のプラグコネクタ２０とレセプタクルコネクタ５０の各々の構成部品について説明する。
まず、前記プラグコネクタ２０の部品について説明することにし、最初にプラグコンタクト２４について説明する。このプラグコンタクト２４は金属製であり、公知技術のプレス加工によって製作されている。前記プラグコンタクト２４の材質としては、バネ性や導電性などが要求されるので、黄銅やベリリウム銅やリン青銅等を挙げることができる。
【００１２】
前記プラグコンタクト２４は、図４（Ａ）のように断面略箱型形状をしている。前記プラグコンタクト２４は一方端に前記レセプタクルコンタクト５４と接触する接触部２６と前記ブロック２２に固定する固定部２８ともう一方端に基板に接続する接続部３０とを有している。前記プラグコンタクト２４は前記ブロック２２の幅方向両側に対向するように配置されている。前記プラグコンタクト２４は前記ブロック２２に圧入や一体成型や溶着等によって固定され、本実施例では一体成型によって固定している。前記接続部３０は、本実施例では表面実装タイブ（ＳＭＴ）にしているが、ディップタイプでも良い。前記接触部２６には窪み３６を設け、前記プラグコネクタ２０と前記レセプタクルコネクタ５０とが嵌合する際にクリック感を持たせると同時に接触性を高める構造にしてよい。
【００１３】
次に、ブロック２２について説明する。この固定用ブロック２２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
【００１４】
図５（Ａ）のように、前記ブロック２２の長手方向両側には前記プラグコンタクト２４の上面３８より高い突出壁３２が形成される。前記突出壁３２の高さは、コネクタの低背化や斜め嵌合防止を考慮して適宜設計している。斜め嵌合防止構造については全ての部品の説明を終了した時点で説明する。前記突出壁３２の高さは、前記プラグコンタクト２４の上面３８より０．１〜０．２ｍｍ高くしている。前記プラグコンタクト２４の上面３８より前記突出壁３２の高さが０．１ｍｍ以下では斜め嵌合を防止することができなく、前記プラグコンタクト２４の上面３８より前記突出壁３２の高さが０．２ｍｍ以上では嵌合時の電気コネクタ１０の低背化に繋がらない。
【００１５】
前記ブロック２２には、対向する前記プラグコンタクト２４間に前記レセプタクルコネクタ５０と係止する係止凹部３４が設けられている。該係止凹部３４に、前記レセプタクルコネクタ５０の係合凸部６４が入る。前記係止凹部３４の大きさは、前記係合凸部６４が入ればよく、コネクタの小型化や接触安定性を考慮して適宜設計している。
前記ブロック２２の長手方向両側には、図５（Ａ）のようにリブ４０が設けられている。このリブ４０は前記レセプタクルコネクタ５０と嵌合した際に前記プラグコンタクト２４と前記レセプタクルコンタクト５４とが確実に接触するための位置決めと嵌合保持カを高めるもので、本実施例では前記プラグコネクタ２０と前記レセプタクルコネクタ５０とが嵌合した際に軽圧入になるようにしている。また、前記ブロック２２には、長手方向両側で幅方向両側に係合部４２が設けられている。該係合部４２は前記プラグコネクタ２０と前記レセプタクルコネクタ５０とが嵌合した際の保持力をアップさせるものである。さらに、前記係止凹部の底面には、前記ブロック２２の強度アップと成型時の流動性を良くするように、サン部が設けられている。
【００１６】
次に、前記レセプタクルコネクタ５０の部品について説明することにし、最初にレセプタクルコンタクト５４について説明する。このレセプタクルコンタクト５４は金属製であり、公知技術のプレス加工によって製作されている。前記レセプタクルコンタクト５４の材質としては、バネ性や導電性などが要求されるので、黄銅やベリリウム銅やリン青銅等を挙げることができる。
【００１７】
図５（Ａ）のように、前記レセプタクルコンタクト５４は断面略逆Ｗ形状をしており、一方端に前記プラグコンタクト２４と接触する接触部５６ともう一端に基板に接続する接続部６０とを有している。前記接触部５６と前記接続部６０との間には弾性部６２と前記ハウジング５２に固定する固定部５８とを更に有し、一方端から接触部５６、弾性部６２、固定部５８、接続部６０の順に配列されている。前記レセプタクルコンタクト５４は前記ハウジング５２の幅方向両側に対向するように配置されている。前記レセプタクルコンタクト５４は前記ハウジング５２に圧入や溶着等によって固定され、本実施例では圧入によって固定している。前記接続部６０は、本実施例では表面実装タイプ（ＳＭＴ）にしているが、ディップタイプでも良い。
【００１８】
前記レセプタクルコンタクト５４の接触部５６は、前記プラグコンタクト２４の窪み３６に入り易いように湾曲形状にしている。
また、前記接触部５６と前記固定部５８との間には、嵌合時の安定した接触が得られるように弾性長を確保するために弾性部６２が設けられている。前記弾性部６２はこのような役割を満足するように適宜設計しており、本実施例では１回湾曲させている。
【００１９】
次に前記ハウジング５２について説明する。このハウジング５２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
【００２０】
図５（Ｂ）のように、前記ハウジング５２は略箱型形班をしている。前記ハウジング５２には前記ブロック２２の前記係止凹部３４と係合する係合凸部６４が幅方向両側に対向するように配置された前記レセプタクルコンタクト５４間に設けられる。両コネクタ２０、５０とが嵌合した際に、前記係止凹部３４の底面と前記係合凸部６４とが突き当たることで嵌合時の位置決めを行なっている。前記係合凸部６４の大きさは、コネクタの小型化や強度やコンタクトの接触安定性等を考慮して適宜設計する。また、前記係合凸部６４の先端には、前記プラグコネクタ２０のブロック２２のサン部の逃げとして逃げ溝が設けられている。
また、前記ハウジング５２には、前記プラグコネクタ２０の前記突出壁３２が入る係合溝６６が設けられている。前記係合溝６６の位置や大きさは、前記プラグコネクタ２０の突出壁３２が入ればよく、コネクタの低背化やハウジング５２の強度等を考慮して適宜設計している。本実施例では前記係合溝６６は低背を考えて、貫通孔にしている。
【００２１】
前記ハウジング５２には、長手方向両側には凸部壁６８が形成されるとともに前記突出壁３２が入る係合溝６６が長手方向両側に設けられている。前記凸部壁６８の高さは前記レセプタクルコンタクト５４の弾性部上面７０より高くしている。
また、長手方向の前記レセプタクルコンタクト５４間には該レセプタクルコンタクト５４の弾性部上面７０より高い側壁Ａ６９と該側壁Ａ６９に連設すると共に前記レセプタクルコンタクト５４の接触部上面７３より高い側壁Ｂ７１とが設けられている。
前記突出壁３２の高さを前記プラグコンタクト２４の上面３８より０．１〜０．３ｍｍ高くし、該凸部壁６８と側壁Ａ６９の高さを前記レセプタクルコンタクト５４の弾性部上面７０より０．０２〜０．１ｍｍ高くし、前記側壁Ｂ７１の高さを前記レセプタクルコンタクト５４の接触部上面７３より０．０２〜０．１ｍｍ高くし、前記係合凸部６４の高さと前記レセプタクルコンタクト５４の接触部上面７３の高さとの関係は−０．２〜０．３ｍｍにする。前記係合凸部６４の高さを前記レセプタクルコンタクト５４の接触部上面７３の関係は、斜め嵌合防止やコンタクトの変形防止を考えると前記係合凸部６４の方が幾分でも高い方が望ましい。つまり、前記係合凸部６４の高さが前記レセプタクルコンタクト５４の接触部上面７３より０ｍｍを超えることである。前記プラグコンタクト２４の上面３８より前記突出壁３２の高さが０．１ｍｍ以下では斜め嵌合を防止することができなく、前記プラグコンタクト２４の上面３８より前記突出壁３２の高さが０．３ｍｍ以上では嵌合時の電気コネクタ１０の低背化に繋がらない。前記レセプタクルコンタクト５４の弾性部上面７０より該凸部壁６８と側壁Ａ６９の高さが０．０２ｍｍ以下では斜め嵌合を防止やコンタクトの変形防止をすることができなく、前記レセプタクルコンタクト５４の弾性部上面７０より該凸部壁６８と側壁Ａ６９の高さが０．１ｍｍ以上では嵌合時の電気コネクタ１０の低背化に繋がらない。前記レセプタクルコンタクト５４の接触部上面７３より側壁Ｂ７１の高さが０．０２ｍｍ以下では斜め嵌合を防止やコンタクトの変形防止をすることができなく、前記レセプタクルコンタクト５４の接触部上面７３より側壁Ｂ７１の高さが０．１ｍｍ以上では嵌合時の電気コネクタ１０の低背化に繋がらない。前記レセプタクルコンタクト５４の接触部上面７３より係合凸部６４の高さが−０．２ｍｍ以下では斜め嵌合を防止やコンタクトの変形防止をすることができなく、前記レセプタクルコンタクト５４の接触部上面７３より係合凸部６４の高さが０．３ｍｍ以上では嵌合時の電気コネクタ１０の低背化に繋がらない。
また、前ハウジング５２には前記係合溝６６内の幅方向両側に前記係合部４２と係合する凹部が設けられている。該凹部は前記プラグコネクタ２０と前記レセプタクルコネクタ５０とが嵌合する際に、前記係合部４２が前記凹部内に入ることで、クリック感を持たせるものである。前記凹部の大きさや位置は嵌合時のこのようなクリック感を満足できれば如何なるものであってもよく、クリック感や強度等を考慮して適宜設計している。
【００２２】
最後に、斜め嵌合防止構造について説明する。斜めに嵌合しようとすると、互いのコンタクト同士が接触する前に、前記プラグコネクタ２０の突出壁３２が前記レセプタクルコネクタ５０の前記凸部壁６８や側壁Ａ６９若しくは前記係合凸部６４や側壁Ｂ７１に接する（ぶつかる）ことになり、斜めには嵌合できないようになっている。
【産業上の利用可能性】
【００２３】
本発明の活用例としては、携帯電話等の電気・電子機器に使用されるプラグコネクタ２０とレセプタクルコネクタ５０とを備える電気コネクタ１０に活用され、特にプラグコネクタ２０とレセプタクルコネクタ５０とが互いに嵌合する際に斜め嵌合されてもそれぞれのコンタクトが破損することのなく、低背可能な構造に関するものである。
【図面の簡単な説明】
【００２４】
【図１Ａ】嵌合口側からみた本発明のプラグコネクタの斜視図である。
【図１Ｂ】嵌合側からみた本発明のレセプタクルコネクタの斜視図である．
【図２Ａ】基板接続側からみた本発明のプラグコネクタの斜視図である。
【図２Ｂ】基板接続側からみた本発明のレセプタクルコネクタの斜視図である。
【図３】プラグコネクタとレセプタクルコネクタとが嵌合した状態のあるコンタクト部分で断面した断面図である。
【図４Ａ】プラグコンタクトの斜視図である。
【図４Ｂ】レセプタクルコンタクトの斜視図である。
【図５Ａ】プラグコネクタのブロックの斜視図である。
【図５Ｂ】レセプタクルコネクタのハウジングの斜視図である．
【符号の説明】
【００２５】
１０            電気コネクタ
１２            族合口
２０            プラグコネクタ
２２            ブロック
２４            プラグコンタクト
２６、５６      接触部
２８、５８      固定部
３０、６０      接続部
３２            突出壁
３４            係止凹部
３６            窪み
３８            上面
４０            リブ
４２            係合部
５０            レセプタクルコネクタ
５２            ハウジング
５４            レセプタクルコンタクト
６２            弾性部
６４            係合凸部
６６            係合溝
６８            凸部壁
６９            側壁Ａ
７０            弾性部上面
７１            側壁Ｂ
７２            係止部
７３            接触部上面
７４            挿入溝
【図１Ａ】
2009517802.tif 000003
【図１Ｂ】
2009517802.tif 000004
【図２Ａ】
2009517802.tif 000005
【図２Ｂ】
2009517802.tif 000006
【図３】
2009517802.tif 000007
【図４Ａ】
2009517802.tif 000008
【図４Ｂ】
2009517802.tif 000009
【図５Ａ】
2009517802.tif 000010
【図５Ｂ】
2009517802.tif 000011
【国際調査報告】
2009517802.tif 000012
2009517802.tif 000013